(57)【要約】  核燃料集合体スペーサグリッド（８）は、燃料棒（４）を受け入れるためのセル（１６）の格子を形成する。スペーサグリッド（８）は、スペーサグリッド（８）の周辺輪郭の一部の境界を定める少なくとも１つの周辺ストリップ（１２）から成る周辺バンド（１１）と、弾性変形可能であって、周辺バンド（１１）内に形成された少なくとも１つのスペーサグリッド位置決めばね（２２）とを備える。
2014515474.tif 000002
【特許請求の範囲】
【請求項１】
燃料棒（４）を受け入れるためのセル（１６）の格子を形成する核燃料集合体スペーサグリッド（８）であって、前記スペーサグリッドが、
前記スペーサグリッド（８）の周辺輪郭の一部の境界を定める少なくとも１つの周辺ストリップ（１２）から成る周辺バンド（１１）と、
弾性変形可能であって、前記周辺バンド（１１）内に形成された少なくとも１つのスペーサグリッド位置決めばね（２２）と、
を備える、スペーサグリッド。
【請求項２】
前記少なくとも１つのばね（２２）が、片持ちにされていることを特徴とする請求項１に記載のスペーサグリッド。
【請求項３】
前記少なくとも１つのばね（２２）が、前記周辺バンド（１１）内に刻印されていることを特徴とする請求項１または２に記載のスペーサグリッド。
【請求項４】
前記少なくとも１つのばね（２２）が、前記周辺バンド（１１）内に切り込まれた少なくとも１つの細長スロット（２８、４６）によって前記周辺バンド（１１）内で境界を定められていることを特徴とする請求項１から３のいずれか一項に記載のスペーサグリッド。
【請求項５】
前記少なくとも１つの細長スロット（２８、４６）が、湾曲したスロット（２８）であることを特徴とする請求項４に記載のスペーサグリッド。
【請求項６】
前記少なくとも１つのばね（２２）が、片持ちの可撓性を有するタブ（２６）と、前記タブ（２６）から外側に向かって突出する剛性の接触突出部（３６、４４）と、を含むことを特徴とする請求項１から５のいずれか一項に記載のスペーサグリッド。
【請求項７】
前記少なくとも１つのばね（２２）が、前記少なくとも１つの周辺ストリップ（１２）のうちの１つの長手方向端に隣接することを特徴とする請求項１から６のいずれか一項に記載のスペーサグリッド。
【請求項８】
前記少なくとも１つの周辺ストリップ（１２）のうちの１つに形成された２つのばね（２２）であって、前記２つのばね（２２）が前記周辺ストリップ（１２）のそれぞれの長手方向端に各々が隣接する、２つのばね（２２）を備えることを特徴とする請求項７に記載のスペーサグリッド。
【請求項９】
前記周辺バンド（１１）が、いくつかの周辺ストリップ（１２）から成り、前記いくつかの周辺ストリップ（１２）の各々が、前記スペーサグリッド（８）の前記周辺輪郭の側面の境界を定め、前記いくつかの周辺ストリップ（１２）の各々が、対応する周辺ストリップ（１２）のそれぞれの長手方向端に各々が隣接する２つのばね（２２）を含むことを特徴とする請求項８に記載のスペーサグリッド。
【請求項１０】
前記周辺バンド（１１）の１つの片持ちの自由端部（２４）によって形成された少なくとも１つのばね（２２）を備えることを特徴とする請求項１から９のいずれか一項に記載のスペーサグリッド。
【請求項１１】
前記スペーサグリッド（８）の前記周辺輪郭の２つの隣接する側面の境界を定める、前記周辺バンド（１１）の２つの周辺ストリップ（１２）の、２つの周辺ストリップ自由端部（２４）によって境界を定められた少なくとも１つの角部セル（１６Ａ）を備え、前記自由端部（２４）が、前記角部セルまたは各角部セル（１６Ａ）が横方向に開放されるように、アパーチャ（４２）によって互いに分離されていることを特徴とする請求項１０に記載のスペーサグリッド。
【請求項１２】
各角部セル（１６Ａ）が、アパーチャ（４２）によって分離された２つの隣接する周辺ストリップ（１２）の２つの自由端部（２４）によって境界を定められることを特徴とする請求項１１に記載のスペーサグリッド。
【請求項１３】
横方向に開放された角部セル（１６Ａ）の境界を定める各自由端部（２４）が、スペーサグリッド位置決めばね（２２）を形成することを特徴とする請求項１１または１２に記載のスペーサグリッド。
【請求項１４】
前記少なくとも１つのばね（２２）に関連付けられて、前記少なくとも１つのばね（２２）に隣接して外側に向かって突出するように前記周辺バンド（１１）内に形成された、少なくとも１つの動作制限器（３８）を備えることを特徴とする請求項１から１３のいずれか一項に記載のスペーサグリッド。
【請求項１５】
周辺ストリップ（１２）と前記周辺ストリップ（１２）間に配設された中間ストリップ（１４）との交差する組を含む交絡ストリップの集合体から成ることを特徴とする請求項１から１４のいずれか一項に記載のスペーサグリッド。
【請求項１６】
燃料棒（４）の束と、燃料チャネル（１０）と、請求項１から１５のいずれか一項に記載の、前記燃料チャネル（１０）内で燃料棒（４）の前記束を横方向に位置決めするための少なくとも１つのスペーサグリッド（８）とを備えることを特徴とする核燃料集合体（２）。
【発明の詳細な説明】
【技術分野】
【０００１】
本発明は、燃料棒を受け入れるためのセルの格子を形成する、核燃料集合体スペーサグリッドに関する。
【背景技術】
【０００２】
沸騰水型原子炉の核燃料集合体（または「ＢＷＲの燃料集合体」）は一般に、スペーサグリッドによって横方向に保持された燃料棒の束であって、このスペーサグリッドが燃料棒の束に沿って配設されている、燃料棒の束と、燃料棒の束内に設けられて、燃料棒から分離して冷却材／減速材の流れを流通させるための少なくとも１つの管状の水チャネルと、燃料棒の束を収容して、燃料棒間および燃料棒の周りに冷却材／減速材の流れを流通させるための管状の燃料チャネルとを備える。同様に、ロシア型加圧水型原子炉核燃料集合体（ｗａｔｅｒ−ｗａｔｅｒ  ｅｎｅｒｇｅｔｉｃ  ｒｅａｃｔｏｒ  ｎｕｃｌｅａｒ  ｆｕｅｌ  ａｓｓｅｍｂｌｙ）（または「ＶＶＥＲ燃料集合体」）は一般に、燃料棒の束に沿って配設されたスペーサグリッドによって横方向に保持された燃料棒の束と、燃料棒の束内に設けられて、燃料棒から分離して冷却材／減速材の流れを流通させるための少なくとも１つのウォーターロッドと、燃料棒の束を収容して、燃料棒間および燃料棒の周りに冷却材／減速材の流れを流通させるための管状の燃料チャネルと、を備える。
【０００３】
スペーサグリッドは一般に、燃料棒を受け入れるためのセルの格子を画定しており、周辺ストリップから成るとともにスペーサグリッドの周辺輪郭の境界を定める周辺バンドを備える。スペーサグリッドには、周辺バンド上に設けられて、燃料棒間および燃料棒の周りに、すなわち、燃料チャネルの内壁に隣接して位置付けられた周辺燃料棒の周りに、冷却材／減速材の適切な流れを確保するための燃料チャネルの内側で、スペーサグリッドの適切な横方向の位置決めを確保するための位置決め手段が備えられていることが好ましい。
【０００４】
特許文献１、特許文献２、および特許文献３は、周辺バンド内に形成され、かつ／または、周辺バンドに組み付けられた、周辺バンドの外周から外側に向かって突出する剛性のタブ、ロブ（ｌｏｂ）、または止め具を設けられた周辺バンドを備えたスペーサグリッドを開示している。
【先行技術文献】
【特許文献】
【０００５】
【特許文献１】米国特許出願公開第２００５／０２４６９６１号明細書
【特許文献２】欧州特許第０７０９０８５７号明細書
【特許文献３】米国特許第６１５６０４３号明細書
【発明の概要】
【発明が解決しようとする課題】
【０００６】
本発明は、燃料チャネル内に燃料棒の束を横方向に良好に位置決めすることを可能にしつつ、容易かつ低コストで入手できる核燃料集合体スペーサグリッドを提供することを目的とする。
【課題を解決するための手段】
【０００７】
この目的を達成するために、本発明は、燃料棒を受け入れるためのセルの格子を形成する核燃料集合体スペーサグリッドを提案し、このスペーサグリッドは、スペーサグリッドの周辺輪郭の一部の境界を定める少なくとも１つの周辺ストリップから成る周辺バンドと、弾性変形可能であって、周辺バンド内に形成された少なくとも１つのスペーサグリッド位置決めばねと、を備える。
【０００８】
他の実施形態において、スペーサグリッドは、単独で、または任意の技術的に実現可能な組合せのかたちでも採用される、以下の特徴のうちの１つまたはいくつかを含む。
−  少なくとも１つのばねは、片持ちにされている。
−  少なくとも１つのばねは、周辺バンド内に刻印されている。
−  少なくとも１つのばねは、周辺バンド内に切り込まれた少なくとも１つの細長スロットによって、周辺バンド内に形成されている。
−  この少なくとも１つの細長スロットは、湾曲したスロットである。
−  少なくとも１つのばねは、片持ちの可撓性タブと、タブから外側に向かって突出する剛性を有する接触突出部とを含む。
−  少なくとも１つのばねは、少なくとも１つの周辺ストリップのうちの１つの、長手方向端に隣接している。
−  ２つのばねは、周辺ストリップのそれぞれの長手方向端に各々が隣接する、少なくとも１つの周辺ストリップのうちの１つに形成されている。
−  周辺バンドは、スペーサグリッドの周辺輪郭の側面の境界を定めるとともに対応する周辺ストリップのそれぞれの長手方向端に各々が隣接する２つのばねを含む、いくつかの周辺ストリップによって構成されている。
−  １つのばねは、周辺バンドの１つの片持ちの自由端部によって形成される。
−  少なくとも１つの角部セルは、スペーサグリッドの周辺輪郭の２つの隣接する側面の境界を定める、周辺バンドの２つの周辺ストリップの、２つの周辺ストリップ自由端部によって境界を定められ、前記自由端部はアパーチャによって互いに分離されていて、前記角部セルまたは各角部セルが横方向に開口している。
−  各角部セルは、アパーチャによって分離された２つの隣接する周辺ストリップの２つの自由端部によって境界を定められる。
−  横方向に開放された角部セルの境界を定める各自由端部は、スペーサグリッド位置決めばねを形成する。
−  少なくとも１つのばねに関連付けられているとともに、少なくとも１つのばねに隣接して周辺バンド内に形成され、外側に向かって突出する、１つの動作制限器。
−  周辺ストリップとこれら周辺ストリップ間に配設された中間ストリップとの交差する組を備える交絡ストリップ（ｉｎｔｅｒｌａｃｅｄ  ｓｔｒｉｐｓ）の集合体。
【０００９】
本発明はさらに、燃料棒の束と、燃料チャネルと、上で規定された、燃料チャネル内で燃料棒の束を横方向に位置決めするための少なくとも１つのスペーサグリッドと、を備える核燃料集合体に関する。
【００１０】
本発明およびその利点は、単に例として提示された以下の説明を読み、添付の図面を参照すると、より深く理解されるであろう。
【図面の簡単な説明】
【００１１】
【図１】ＢＷＲの核燃料集合体の部分断面側面図である。
【図２】本発明の実施形態による、図１の核燃料集合体の燃料チャネル内に受けられるスペーサグリッドの上面図である。
【図３】図２のスペーサグリッドの角部の斜視図である。
【図４】図２および図３のスペーサグリッドの周辺ストリップの側面立面図である。
【図５】本発明の別の実施形態による、スペーサグリッドの角部の斜視図である。
【発明を実施するための形態】
【００１２】
図１に示す沸騰水型原子炉用の核燃料集合体２は、燃料集合体が原子炉の内側に配置されたときに、鉛直に延在する組立軸Ｌに沿って延びている。
【００１３】
燃料集合体２は、核燃料棒４の束と、燃料棒４の束内に配置された管状水チャネル６と、燃料棒４の束に沿って配設されて、燃料棒を横方向に保持するスペーサグリッド８と、燃料棒４の束を取り囲む管状燃料チャネル１０と、を備える。
【００１４】
燃料棒４は、細長く、組立軸Ｌに沿って互いに対して平行に延在する。各燃料棒４は、管状被覆管と、被覆管の内側に積み重ねられた核燃料のペレットと、被覆管の端を閉鎖する蓋と、を備える。燃料棒４は、燃料棒４間に相互間隔（ｉｎｔｅｒｓｐａｃｉｎｇ）を有して格子状に配置される。
【００１５】
水チャネル６は、燃料棒４に対して平行に延在する。水チャネル６は、燃料棒４間の相互間隔から離間して、冷却材／減速材の流れを流通させるように構成されている。水チャネル６は、通常は、格子内の１つまたはいくつかの燃料棒４に置き換わる。
【００１６】
スペーサグリッド８は、燃料棒４に沿った空間関係で割り振られている。各スペーサグリッド８は、組立軸Ｌを横断して延在する。各スペーサグリッド８は、各々が燃料棒４を総じて受け入れるためのセル１６の格子と、水チャネル６を受け入れるための開口部１８とを形成する。燃料棒４は、スペーサグリッド８の各々によって横方向に保持される。水チャネル６は、スペーサグリッド８の対応する開口部１８を貫通する。各スペーサグリッド８は、水チャネル６に固定される。
【００１７】
燃料チャネル１０は、燃料棒４に対して平行に延在する。燃料チャネル１０は、燃料棒４の束と水チャネル６とを収容する。燃料チャネル１０は、燃料棒４間および燃料棒４の周りに冷却材／減速材の流れを流通させるように構成されている。
【００１８】
燃料集合体２は、典型的には、組立軸Ｌに沿って間隔を空けて配置された下部ノズルおよび上部ノズル、ならびに下部ノズルと上部ノズルとの間に延在する燃料棒４、水チャネル６、および燃料チャネル１０を備え、水チャネル６および燃料チャネル１０は、下部ノズルおよび上部ノズルを連結する。
【００１９】
作動中には、燃料集合体２は、組立軸Ｌが実質的に鉛直となり、かつ原子炉の底部プレート内に設けられた冷却材／減速材出口内に下部ノズルが部分的に挿入された状態で、炉内に配置される。出口から出た冷却材／減速材の流れは、下部ノズル内に流れ込み、燃料棒４から分離した態様で水チャネル６内を流れる第１の冷却材／減速材の流れと、燃料チャネル１０内で燃料棒４間および燃料棒４の周囲を流れる第２の冷却材／減速材の流れとに分かれる。
【００２０】
複数のスペーサグリッド８は、同様のものとすることができる。本発明による１つのスペーサグリッド８を、図２〜図４を参照してさらに説明する。
【００２１】
図２は、分かりやすくするために燃料棒および水チャネルを省いて、燃料チャネル１０内に受け入れられたスペーサグリッド８を示す。
【００２２】
図２に示すように、スペーサグリッド８は方形の周辺輪郭を呈する。スペーサグリッド８は、４つの角部で対に接合される４つの側面を有する。代替的に、スペーサグリッド８は、別の形状を呈してもよい。すなわち、スペーサグリッドは、多角形状、たとえば６つの角部で対に接合される６つの側面を有する六角形の輪郭を呈してもよい。
【００２３】
スペーサグリッド８は、スペーサグリッド８の周辺輪郭の境界を定める周辺バンド１１を備える。周辺バンド１１は、各々が周辺バンド１１の１つのそれぞれの側面を形成する、細長い周辺ストリップ１２から成る。
【００２４】
スペーサグリッド８は、２つの対向する周辺ストリップ１２間に延在ずるとともに各々がそれぞれの１つの燃料棒４を総じて受け入れるためのセル１６、１６Ａの格子を形成する交絡中間ストリップ１４と、水チャネル６を受け入れるための少なくとも１つの開口部１８と、を備える。中間ストリップ１４は、第１の方向に延在する第１の組の平行なストリップと、第１の方向とは異なる第２の方向に延在して第１の組のストリップと交差する第２の組の平行なストリップと、を備える。周辺セル１６、１６Ａは、周辺ストリップ１２によって外側に向かって境界を定められている。スペーサグリッド８は、スペーサグリッド８の角部に位置付けられているとともに各々が２つの隣接する周辺ストリップ１２の端部２４によって境界を定められている角セル１６Ａを備える。
【００２５】
燃料チャネル１０は、スペーサグリッド８の周辺輪郭に対応する横方向断面を呈する。燃料チャネル１０は、内壁２０を備える。
【００２６】
スペーサグリッド８は、周辺バンド１１の各側面と、燃料チャネル１０の対面する内壁２０と、の間に横方向の間隔を有して、燃料チャネル１０内に受け入れられる。
【００２７】
スペーサグリッド８は、燃料チャネル１０の内壁２０と周辺バンド１１との間の間隔を維持するための位置決め手段を備える。
【００２８】
位置決め手段は、周辺バンド１１上に設けられて、周辺バンド１１を燃料チャネル１０の内壁２０から離して付勢するための弾性変形可能なばね２２を備える。ばね２２それぞれは、周辺バンド１１の外面４０から外側に向かって突出している。
【００２９】
各周辺ストリップ１２には、周辺ストリップ１２の長手方向端部２４上それぞれに１つのばね２２が設けられる。
【００３０】
図３に示すように、スペーサグリッド８の周辺輪郭の角部に隣接して２つのばね２２が設けられ、１つのばねが、角部を形成する２つの隣接する周辺ストリップ１２それぞれ上に存在する。
【００３１】
図３および図４に示すように、各ばね２２は対応する周辺ストリップ１２内に刻印される。より具体的には、各ばね２２は、周辺ストリップ１２内に刻印された、弾性的に可撓性である片持ちのタブ２６を備える。タブ２６は、周辺ストリップ１２内で、細長く湾曲したスロット２８によって境界を定められている。タブ２６は、スロット２８と、スロット２８の対向端３０を繋ぐ想像線と、によって境界を定められている。
【００３２】
図３および図４に示すように、この想像線は、周辺バンド１１の周辺ストリップ１２の長手方向端縁３２を実質的に横断して延在する。各ばね２２は、対応する周辺ストリップ１２の隣接する端部３４から離れて、したがって隣接する角部の端縁から離れて、片持ち式に延在する。各ばね２２は、周辺バンド１１内で、周辺バンド１１の長手方向端縁３２間に設けられる。
【００３３】
任意にまたは代替的に、少なくとも１つのばね２２または各ばね２２は、対応する周辺ストリップ１２の隣接する端部３４に向けて、したがって隣接する角部の端縁に向けて、片持ち式に延在する。
【００３４】
任意にまたは代替的に、少なくとも１つのばね２２の想像線または各ばね２２の想像線は、周辺ストリップ１２の２つの長手方向端縁３２に対して実質的に平行に延在し、少なくとも１つのばね２２または各ばね２２は、周辺ストリップ１２の１つの長手方向端縁３２に向けて片持ち式に延在する。
【００３５】
スロット２８は、スロット２８が２つの分岐枝を有するほぼＵ形（または丸みの付いた先端を有するＶ形）を呈するように湾曲している。タブ２６は、その基部からその自由先端部に向けて収束する。
【００３６】
ばね２２の自由状態において、タブ２６は、スペーサグリッド８を基準にして外側に向かって配置された周辺ストリップ１２の外面４０から突出する。
【００３７】
ばね２２は、タブ２６の自由先端部に設けられた剛性の接触突出部３６を備える。接触突出部３６は、タブ２６から外側に向かって突出して、燃料チャネル１０の対面する内壁２０に接触する。接触突出部３６は、たとえば、タブ２６内に刻印された窪みとして設けられる。
【００３８】
各周辺ストリップ１２は、周辺ストリップ１２内に形成されて、周辺ストリップ１２の、燃料チャネル１０の対面する内壁２０に向けての動作と、関連付けられたばね２２のその後の過大応力とを制限するための少なくとも１つの剛性止め具または動作制限器３８を備える。
【００３９】
各動作制限器３８は、たとえば、周辺ストリップ１２内に刻印されて、周辺ストリップ１２の外面４０上において外側に向かって突出する、剛性を有する窪みとして設けられる。
【００４０】
図３および図４に示すように、ばね２２の両側に、２つの動作制限器３８が設けられる。より具体的には、ばね２２の上方に一方の動作制限器３８が設けられ、ばね２２の下方に他方の動作制限器３８が設けられる。代替的に、２つの動作制限器３８は、一方が、ばね２２の前方に、ばね２２の自由端に隣接して設けられ、他方が、ばね２２の後方に、ばね２２の自由端に隣接して設けられる。代替的に、１つのみの動作制限器３８がばね２２の自由端に隣接して、ばね２２の上方、ばね２２の下方、若しくはばね２２の前方に、またはばね２２の自由端に隣接してばね２２の後方に、設けられる。代替的に、３つ以上の動作制限器を設けることができる。
【００４１】
各動作制限器３８は、関連付けられたばね２２の自由状態における、ばね２２の突出高さを下回る突出高さを呈する。
【００４２】
弾性変形可能なばね２２を備える周辺バンド１１により、燃料チャネル１０内に、適正であって調節可能な力で、スペーサグリッド８を弾性位置決めすることが可能になり、適正な間隔および良好な性能が確保される。動作制限器３８は、ばね２２の過大応力を回避し、最小限の間隔を設ける。
【００４３】
図３および図４に示すように、周辺ストリップ１２は、２つの全く同じばね２２を備え、周辺ストリップ１２の各端部２４に１つが存在する。代替的に、１つの周辺ストリップ１２は、たとえば、燃料チャネル１０に対してスペーサグリッド８の特有の位置決め、すなわち、中心から外れた位置決めを得るために、異なる形状、高さ、および／または、ばね定数を呈する２つの異なるばね２２を備え得る。
【００４４】
同様に、スペーサグリッド８の周辺ストリップ１２は、全く同じばね２２を備え得、または代替的に、たとえば、燃料チャネル１０に対してスペーサグリッド８の特有の位置決め、すなわち、中心から外れた位置決めを得るための形状、高さ、および／もしくは、ばね定数を呈する異なるばね２２を備え得る。
【００４５】
すなわち、周辺ストリップ１２内に一部品で一体的に形成されたばね２２は、周辺バンド１１に組み付けられたばねに比べ、スペーサグリッド８の設計の簡素化、製作ステップの数の減少、および流れ抵抗の減少を生じる。
【００４６】
図２〜図４の実施形態において、ばね２２は各周辺ストリップ１２の２つの端部２４に設けられ、それにより２つのばね２２は、２つの対応する側において、スペーサグリッド８の各角部に近接して設けられる。
【００４７】
代替的に、周辺ストリップ１２は、１つのばね２２が周辺ストリップ１２の１つの端部２４上に存在する状態で設けられ得る。したがって、スペーサグリッド８は、スペーサグリッド８の１つおきの角部にのみ隣接してばね２２が存在する状態で、たとえば、対角線上において対向する２つの角部に隣接してばね２２が存在する状態で、設けることもあり得る。
【００４８】
代替的に、スペーサグリッド８の周辺ストリップ１２のうちの少なくとも１つは、たとえば、組立軸Ｌを横断して、周辺バンド１１に沿って間隔を空けて配置された３つ以上のばね２２を備え得る。
【００４９】
図２〜図４の実施形態において、周辺バンド１１は、たとえば溶接によってそれらの長手方向端において対にして組み立てられる、最初は分離しているいくつかの周辺ストリップ１２から成る。周辺バンド１１は、連続する閉鎖された輪郭の境界を定める。
【００５０】
隣接しており相互に組み立てられた端部２４の各対は、２つの交差する中間ストリップ１４と共に、角部セル１６Ａの境界を定め、角部セル１６Ａは、角部セル１６Ａ内に受け入れられた燃料棒４を横に保持するように適合された、閉鎖された輪郭を有する。各角部セル１６Ａは、スペーサグリッド８の角部に位置付けられる。
【００５１】
代替的実施形態において、周辺ストリップ１２は、一部品で作成され、その長手方向端において曲げおよび組立てが施されて周辺バンド１１を形成する、同一の単一の金属片の一部である。
【００５２】
スペーサグリッド８の角部を斜視図で例示する図５の代替的実施形態において、周辺バンド１１は、隣接する周辺ストリップ１２の２つの隣接する端部２４が、互いに距離を置いて終端をなして、アパーチャ４２によって分離されるような態様で、スペーサグリッド８の角部において切断されている。切断されている周辺バンド１１は、非連続状態にある。この代替的実施形態は、上に記載したばね２２を備えて実現され得る。
【００５３】
代替的に、図５に示すように、各端部２４は、自由であり、スペーサグリッド８に対して外側に向かって突出して、スペーサグリッド８の周辺に隣接する対面する壁、すなわち、燃料チャネル１０の対面する内壁２０に接触するための、片持ちの位置決めばね２２を形成する。
【００５４】
したがって、端部２４は、２つの交差する中間ストリップ１４と共に、横方向に開放された角部セル１６Ａの境界を定める。
【００５５】
各端部２４は、周辺ストリップ１２の、中間ストリップ１４との連結部から片持ちに延在する、弾性的に可撓性を有する片持ちのタブ２６を形成する。
【００５６】
各端部２４は、スペーサグリッド８を弾性的に位置決めするために弾性変形可能でありながら、燃料チャネル１０の対面する内壁２０に接触するように構成される。端部２４は、個別に弾性的に可撓性の状態である。
【００５７】
周辺ストリップ１２の分離した端部２４により、部品数の減少および作業数の減少を伴う、すなわち、スペーサグリッド８の角部における周辺ストリップ１２の溶接を伴わない、スペーサグリッド８を得ることが可能になるのと同時に、スペーサグリッド８の弾性位置決めが可能になる。
【００５８】
任意に、各端部２４には、タブ２６から外側に向かって突出して、対面する内壁２０に接触する剛性の接触突出部４４が設けられる。接触突出部４４は、たとえば、端部２４内に刻印された剛性の窪みとして設けられる。窪みの高さおよび長さを変化させることにより、スペーサグリッド８を位置決めする性能を最適化することができる。
【００５９】
任意に、各端部２４には、タブ２６のばね力を調節するために少なくとも１つのスロット４６が設けられる。
【００６０】
任意に、各周辺ストリップ１２には、自由端部２４に隣接して位置付けられて、過大応力を回避するための少なくとも１つの動作制限器３８が設けられる。動作制限器３８は、片持ちの端部２４から外れて、周辺ストリップ１２の固定部分内に形成されることが好ましい。図５に示すように、動作制限器３８は、中間ストリップ１４との連結部に対して端部２４と対向する、周辺ストリップ１２の固定部分内に形成される。
【００６１】
一実施形態において、周辺バンド１１は、各角部において切断されており、各周辺ストリップ１２は、ばね２２として構成された、その２つの端部２４を有する。ばね２２は、スペーサグリッド８の各角部に設けられる。
【００６２】
代替的実施形態において、ばね２２として構成された周辺ストリップの端部２４は、スペーサグリッド８の角部の総数を下回る、スペーサグリッド８の制限された数の角部にのみ、たとえば、スペーサグリッド８の対角線上に対向する２つの角部にのみ、設けられる。このような実施形態において、１つの周辺ストリップ１２は、ばね２２として構成された一方の端部２４と、他方の対向端部２４とを有することができ、この対向端部２４は、別の周辺ストリップ１２の端部に組み付けられ、任意に、本発明の第１の実施形態によるばね２２、突出部３６、および動作制限器３８が設けられる。
【００６３】
燃料棒４の束は、完全長の燃料棒４と、完全長の燃料棒よりも短い長さを有する部分長の燃料棒４とを備え得る。角部において切断された周辺バンド１１が設けられたスペーサグリッド８は、燃料棒４の束が前記角部に部分長の燃料棒を備えるときに、特に適合する。
【００６４】
図２に示すように、スペーサグリッド８は、方形の周辺輪郭を呈し、開口部１８がセル１６の３×３配列に置き換わる状態で、セル１６の１１×１１の方形格子を形成する。格子内のセル１６の数（たとえば、９×９、１０×１０…１２×１２）、スペーサグリッド８および対応する格子の周辺輪郭（たとえば、方形に形作られた、長方形に形作られた、または六角形に形作られた）を変化させることにより、他の構成を企図することができる。同様に、水チャネル６の数、形状、およびサイズを変化させることができる。したがって、それに対応して、水チャネルまたはウォーターロッドを受け入れるための開口部１８の数（１つの開口部１８、２つの開口部１８、またはそれよりも多くの開口部１８）、ならびに水チャネルまたはウォーターロッドを受け入れるための開口部１８のサイズおよび形状（１×１、１×２、２×１、２×２、２×３、３×３…）を変化させることができる。
【００６５】
本発明は、特に、燃料棒の束と燃料チャネルの内壁との間に適切な間隔を保持して、燃料チャネル内で燃料棒間および燃料棒の周囲に冷却材／減速材の適切な流れを可能にすることが好ましい、燃料チャネルを備える燃料集合体に適用され、すなわち、換言すると、ＢＷＲまたはＶＶＥＲの燃料集合体に適用される。
【符号の説明】
【００６６】
Ｌ  組立軸
２  核燃料集合体
４  核燃料棒
６  管状水チャネル
８  スペーサグリッド
１０  管状燃料チャネル
１１  周辺バンド
１２  周辺ストリップ
１４  中間ストリップ
１６  セル
１６Ａ  角部セル
１８  開口部
２０  内壁
２２  ばね
２４  端部
２６  タブ
２８  スロット
３０  対向端
３２  長手方向端縁
３４  端部
３６  接触突出部
３８  動作制限器
４０  外面
４２  アパーチャ
４４  接触突出部
４６  スロット
【図１】
2014515474.tif 000003
【図２】
2014515474.tif 000004
【図３】
2014515474.tif 000005
【図４】
2014515474.tif 000006
【図５】
2014515474.tif 000007
【国際調査報告】
2014515474.tif 000008
2014515474.tif 000009
2014515474.tif 000010